(57)【要約】【課題】電力貯蔵システム及びその制御方法を提供する。【解決手段】発電システム、バッテリー及び電力系統を接続して、負荷に電力を供給する電力貯蔵システムの制御方法であって、電力系統が負荷と接続しているか否かを判断するステップと、発電システムで電力が発電されるか否かを判断するステップと、を含み、発電システムの発電電力量、バッテリーの充電状態、バッテリーの充電電力量、負荷の消費電力量及び時間のうち少なくともいずれか一つの判断結果によって、電力貯蔵システムの複数の動作モードのうちいずれか一つにより動作することを特徴とする電力貯蔵システムの制御方法である。【選択図】図１
2011254696.tif 000002
【特許請求の範囲】
【請求項１】
発電システム、バッテリー及び電力系統を接続して、負荷に電力を供給する電力貯蔵システムの制御方法であって、
前記電力系統が前記負荷と接続しているか否かを判断するステップと、
前記発電システムで電力が発電されるか否かを判断するステップと、を含み、
前記発電システムの発電電力量、前記バッテリーの充電状態、前記バッテリーの充電電力量、前記バッテリーの放電電力量、前記負荷の消費電力量及び時間のうち少なくともいずれか一つの判断結果によって、前記電力貯蔵システムの複数の動作モードのうちいずれか一つにより動作することを特徴とする電力貯蔵システムの制御方法。
【請求項２】
前記電力系統が負荷と接続しており、前記発電システムで電力が発電される場合、
前記バッテリーの充電状態がフル充電基準値以上である時、
前記発電システムの発電電力量と前記負荷の消費電力量との大きさを比較して、前記電力貯蔵システムの動作モードを決定することを特徴とする請求項１に記載の電力貯蔵システムの制御方法。
【請求項３】
前記電力系統が負荷と接続しており、前記発電システムで電力が発電される場合、
前記バッテリーの充電状態がフル充電基準値未満である時、
前記発電システムの発電電力量と前記バッテリーの充電電力量との大きさを比較して、前記電力貯蔵システムの動作モードを決定することを特徴とする請求項１に記載の電力貯蔵システムの制御方法。
【請求項４】
前記電力系統が負荷と接続しており、前記発電システムで電力が発電される場合、
前記バッテリーの充電状態及び前記時間によって、前記電力貯蔵システムの動作モードを決定することを特徴とする請求項１に記載の電力貯蔵システムの制御方法。
【請求項５】
前記電力系統が負荷と接続しており、前記発電システムで発電される電力が０である場合、
前記バッテリーの充電状態及び前記時間によって、前記電力貯蔵システムの動作モードを決定することを特徴とする請求項１に記載の電力貯蔵システムの制御方法。
【請求項６】
前記電力系統が負荷と接続しており、前記発電システムで発電される電力が０である場合、
前記バッテリーの充電状態がフル充電基準値以上である時、
前記時間が前記負荷で最大電力を消費する時間帯であるか否かによって、前記電力貯蔵システムの動作モードを決定することを特徴とする請求項１に記載の電力貯蔵システムの制御方法。
【請求項７】
前記電力系統が負荷と接続しており、前記発電システムで発電される電力が０である場合、
前記バッテリーの充電状態がフル充電基準値未満である時、
前記時間が前記負荷で最大電力を消費する時間帯であるか否か、及び前記バッテリーの充電状態がフル放電基準値以下であるか否かによって、前記電力貯蔵システムの動作モードを決定することを特徴とする請求項１に記載の電力貯蔵システムの制御方法。
【請求項８】
前記電力系統が負荷と接続されておらず、前記発電システムで電力が発電される場合、
前記発電システムで発電される電力量と前記負荷の消費電力量との大きさによって、前記電力貯蔵システムの動作モードを決定することを特徴とする請求項１に記載の電力貯蔵システムの制御方法。
【請求項９】
前記発電システムで発電される電力量が前記負荷の消費電力量より大きい時、
前記バッテリーの充電状態によって、前記電力貯蔵システムの動作モードを決定することを特徴とする請求項８に記載の電力貯蔵システムの制御方法。
【請求項１０】
前記発電システムで発電される電力量が前記負荷の消費電力量より小さい時、
前記バッテリーの充電状態を判断し、前記発電システムで発電される電力量の大きさと、前記バッテリーの充電電力量の大きさとを比較して、前記電力貯蔵システムの動作モードを決定することを特徴とする請求項８に記載の電力貯蔵システムの制御方法。
【請求項１１】
前記発電システムで発電される電力量が前記負荷の消費電力量より小さい時、
前記発電システムで発電される電力量と前記負荷の最小消費電力量との大きさ、及び前記バッテリーの充電状態によって、前記電力貯蔵システムの動作モードを決定することを特徴とする請求項８に記載の電力貯蔵システムの制御方法。
【請求項１２】
前記発電システムで発電される電力量が前記負荷の最小消費電力量より小さく、前記バッテリーの充電状態がフル充電基準値以下である場合、
直流リンク電圧の大きさによって、前記電力貯蔵システムの動作モードを決定することを特徴とする請求項１１に記載の電力貯蔵システムの制御方法。
【請求項１３】
前記電力系統が負荷と接続されておらず、前記発電システムで発電される電力が０である場合、
前記バッテリーの放電電力量と前記負荷の消費電力量との大きさによって、前記電力貯蔵システムの動作モードを決定することを特徴とする請求項１に記載の電力貯蔵システムの制御方法。
【請求項１４】
前記バッテリーの放電電力量が前記負荷の消費電力量より大きい場合、
前記バッテリーの充電状態によって、前記電力貯蔵システムの動作モードを決定することを特徴とする請求項１３に記載の電力貯蔵システムの制御方法。
【請求項１５】
前記電力系統が負荷と接続されておらず、前記発電システムで発電される電力が０である場合、
前記バッテリーの充電状態によって、前記電力貯蔵システムの動作モードを決定することを特徴とする請求項１に記載の電力貯蔵システムの制御方法。
【請求項１６】
前記バッテリーの充電状態がフル放電基準値を超える場合、
前記バッテリーの放電電力量と前記負荷の消費電力量との大きさによって、前記電力貯蔵システムの動作モードを決定することを特徴とする請求項１５に記載の電力貯蔵システムの制御方法。
【請求項１７】
前記バッテリーの放電電力量が前記負荷の消費電力量より小さい場合、
前記負荷の最小消費電力量の大きさによって、前記電力貯蔵システムの動作モードを決定することを特徴とする請求項１６に記載の電力貯蔵システムの制御方法。
【請求項１８】
発電システム、バッテリー及び電力系統を接続して、負荷に電力を供給する電力貯蔵システムであって、
前記発電システムから出力される電圧を直流リンク電圧に変換する電力変換部と、
前記バッテリーの出力電圧を前記直流リンク電圧に変換する第１放電モードと、前記直流リンク電圧を前記バッテリーの充電電圧に変換する第１充電モードとを含む双方向コンバータと、
前記直流リンク電圧を前記電力系統の交流電圧に変換する第２放電モードと、前記電力系統の交流電圧を前記直流リンク電圧に変換する第２充電モードとを含む双方向インバータと、
前記発電システム、前記バッテリー及び前記負荷の状態によって、前記電力変換部、前記双方向コンバータ及び前記双方向インバータの動作を決定する統合制御器と、を備えることを特徴とする電力貯蔵システム。
【請求項１９】
前記統合制御器は、
前記電力系統が前記負荷と接続しているか否か、前記発電システムで電力が発電されるか否かを判断して、前記電力変換部、前記双方向コンバータ及び前記双方向インバータの動作を決定することを特徴とする請求項１８に記載の電力貯蔵システム。
【請求項２０】
前記統合制御器は、
前記発電システムの発電電力量、前記バッテリーの充電状態、前記バッテリーの充電電力量、前記負荷の消費電力量及び時間のうち少なくともいずれか一つによって、前記電力変換部、前記双方向コンバータ及び前記双方向インバータの動作を決定することを特徴とする請求項１９に記載の電力貯蔵システム。
【発明の詳細な説明】
【技術分野】
【０００１】
本発明は、電力貯蔵システム及びその制御方法に関する。
【背景技術】
【０００２】
環境破壊、資源枯渇などが問題となるにつれて、電力を貯蔵し、貯蔵された電力を効率的に活用できるシステムへの関心が高まっている。また、これと共に、発電過程で公害を引き起こさない新再生エネルギーへの関心も高まっている。電力貯蔵システムは、かかる新再生エネルギー、電力を貯蔵したバッテリー、及び既存の電力系統を連係させるシステムであって、現在の環境変化に合わせて多くの研究開発がなされている。
【発明の概要】
【発明が解決しようとする課題】
【０００３】
本発明の目的は、発電システム、負荷、電力系統及びバッテリーの状態によって、最適の方式で動作できる電力貯蔵システム及びその制御方法を提供するところにある。
【課題を解決するための手段】
【０００４】
本発明による実施形態の一側面によれば、発電システム、バッテリー及び電力系統を接続して、負荷に電力を供給する電力貯蔵システムの制御方法であって、電力系統が負荷と接続しているか否かを判断するステップと、発電システムで電力が発電されるか否かを判断するステップと、を含み、発電システムの発電電力量、バッテリーの充電状態、バッテリーの充電電力量、バッテリーの放電電力量、負荷の消費電力量及び時間のうち少なくともいずれか一つの判断結果によって、電力貯蔵システムの複数の動作モードのうちいずれか一つにより動作することを特徴とする電力貯蔵システムの制御方法を提供する。
【０００５】
かかる本実施形態の他の特徴によれば、電力系統が負荷と接続しており、発電システムで電力が発電される場合、バッテリーの充電状態がフル充電基準値以上である時、発電システムの発電電力量と負荷の消費電力量との大きさを比較して、電力貯蔵システムの動作モードを決定できる。
【０００６】
本実施形態のさらに他の特徴によれば、電力系統が負荷と接続しており、発電システムで電力が発電される場合、バッテリーの充電状態がフル充電基準値未満である時、発電システムの発電電力量とバッテリーの充電電力量との大きさを比較して、電力貯蔵システムの動作モードを決定できる。
【０００７】
本実施形態のさらに他の特徴によれば、電力系統が負荷と接続しており、発電システムで電力が発電される場合、バッテリーの充電状態及び時間によって、電力貯蔵システムの動作モードを決定できる。
【０００８】
本実施形態のさらに他の特徴によれば、電力系統が負荷と接続しており、発電システムで発電される電力が０である場合、バッテリーの充電状態及び時間によって、電力貯蔵システムの動作モードを決定できる。
【０００９】
本実施形態のさらに他の特徴によれば、電力系統が負荷と接続しており、発電システムで発電される電力が０である場合、バッテリーの充電状態がフル充電基準値以上である時、時間が負荷で最大電力を消費する時間帯であるか否かによって、電力貯蔵システムの動作モードを決定できる。
【００１０】
本実施形態のさらに他の特徴によれば、電力系統が負荷と接続しており、発電システムで発電される電力が０である場合、バッテリーの充電状態がフル充電基準値未満である時、時間が負荷で最大電力を消費する時間帯であるか否か、及びバッテリーの充電状態がフル放電基準値以下であるか否かによって、電力貯蔵システムの動作モードを決定できる。
【００１１】
本実施形態のさらに他の特徴によれば、電力系統が負荷と接続されておらず、発電システムで電力が発電される場合、発電システムで発電される電力量と負荷の消費電力量との大きさによって、電力貯蔵システムの動作モードを決定できる。
【００１２】
本実施形態のさらに他の特徴によれば、発電システムで発電される電力量が負荷の消費電力量より大きい時、バッテリーの充電状態によって、電力貯蔵システムの動作モードを決定できる。
【００１３】
本実施形態のさらに他の特徴によれば、発電システムで発電される電力量が負荷の消費電力量より小さい時、バッテリーの充電状態を判断し、発電システムで発電される電力量の大きさとバッテリーの充電電力量の大きさとを比較して、電力貯蔵システムの動作モードを決定できる。
【００１４】
本実施形態のさらに他の特徴によれば、発電システムで発電される電力量が負荷の消費電力量より小さい時、発電システムで発電される電力量と負荷の最小消費電力量との大きさ、及びバッテリーの充電状態によって、電力貯蔵システムの動作モードを決定できる。
【００１５】
本実施形態のさらに他の特徴によれば、発電システムで発電される電力量が負荷の最小消費電力量より小さく、バッテリーの充電状態がフル充電基準値以下である場合、直流リンク電圧の大きさによって、電力貯蔵システムの動作モードを決定できる。
【００１６】
本実施形態のさらに他の特徴によれば、電力系統が負荷と接続されておらず、発電システムで発電される電力が０である場合、バッテリーの放電電力量と負荷の消費電力量との大きさによって、電力貯蔵システムの動作モードを決定できる。
【００１７】
本実施形態のさらに他の特徴によれば、バッテリーの放電電力量が負荷の消費電力量より大きい場合、バッテリーの充電状態によって、電力貯蔵システムの動作モードを決定できる。
【００１８】
本実施形態のさらに他の特徴によれば、電力系統が負荷と接続されておらず、発電システムで発電される電力が０である場合、バッテリーの充電状態によって、電力貯蔵システムの動作モードを決定できる。
【００１９】
本実施形態のさらに他の特徴によれば、バッテリーの充電状態がフル放電基準値を超える場合、バッテリーの放電電力量と負荷の消費電力量との大きさによって、電力貯蔵システムの動作モードを決定できる。
【００２０】
本実施形態のさらに他の特徴によれば、バッテリーの放電電力量が負荷の消費電力量より小さい場合、負荷の最小消費電力量の大きさによって、電力貯蔵システムの動作モードを決定できる。
【００２１】
本発明による実施形態の他の側面によれば、発電システム、バッテリー及び電力系統を接続して、負荷に電力を供給する電力貯蔵システムであって、発電システムから出力される電圧を直流リンク電圧に変換する電力変換部と、バッテリーの出力電圧を直流リンク電圧に変換する第１放電モード、及び直流リンク電圧をバッテリーの充電電圧に変換する第１充電モードを含む双方向コンバータと、直流リンク電圧を電力系統の交流電圧に変換する第２放電モード、及び電力系統の交流電圧を直流リンク電圧に変換する第２充電モードを含む双方向インバータと、発電システム、バッテリー及び負荷の状態によって、電力変換部、双方向コンバータ及び双方向インバータの動作を決定する統合制御器と、を備えることを特徴とする電力貯蔵システムを提供する。
【００２２】
かかる本実施形態の他の特徴によれば、統合制御器は、電力系統が負荷と接続しているか否か、発電システムで電力が発電されるか否かを判断して、電力変換部、双方向コンバータ及び双方向インバータの動作を決定できる。
【００２３】
本実施形態のさらに他の特徴によれば、統合制御器は、発電システムの発電電力量、バッテリーの充電状態、バッテリーの充電電力量、負荷の消費電力量及び時間のうち少なくともいずれか一つによって、電力変換部、双方向コンバータ及び双方向インバータの動作を決定できる。
【発明の効果】
【００２４】
本発明の実施形態によれば、発電システム、負荷、電力系統及びバッテリーの状態によって、最適の方式で電力貯蔵システムが動作できる。
【図面の簡単な説明】
【００２５】
【図１】本発明の一実施形態による電力貯蔵システムの構成を示すブロック図である。
【図２】図１の電力貯蔵システムにおける多様な動作モードを示す概念図である。
【図３】図１の電力貯蔵システムにおける多様な動作モードを示す概念図である。
【図４】図１の電力貯蔵システムにおける多様な動作モードを示す概念図である。
【図５】図１の電力貯蔵システムにおける多様な動作モードを示す概念図である。
【図６】図１の電力貯蔵システムにおける多様な動作モードを示す概念図である。
【図７】図１の電力貯蔵システムにおける多様な動作モードを示す概念図である。
【図８】図１の電力貯蔵システムにおける多様な動作モードを示す概念図である。
【図９】本発明の一実施形態による電力貯蔵システムの制御方法を示すフローチャートである。
【図１０】本発明の一実施形態による電力貯蔵システムの制御方法を示すフローチャートである。
【図１１】本発明の一実施形態による電力貯蔵システムの制御方法を示すフローチャートである。
【図１２】本発明の他の実施形態による電力貯蔵システムの制御方法を示すフローチャートである。
【図１３】本発明の他の実施形態による電力貯蔵システムの制御方法を示すフローチャートである。
【発明を実施するための形態】
【００２６】
本発明は、多様な変換を加え、色々な実施形態を有するところ、特定の実施形態を図面に例示し、詳細な説明で詳細に説明する。しかし、これは、本発明を特定の実施形態に対して限定しようとするものではなく、本発明の思想及び技術範囲に含まれるあらゆる変換、均等物ないし代替物を含むものと理解されねばならない。本発明を説明するにおいて、関連した公知の技術についての具体的な説明が本発明の要旨を不明確にすると判断される場合、その詳細な説明を省略する。
【００２７】
以下、本発明による実施形態を図面を参照して詳細に説明し、図面を参照して説明するにおいて、同一または対応する構成要素は、同じ図面番号を付与し、これについての重複する説明は省略する。
【００２８】
図１は、本発明の一実施形態による電力貯蔵システムの構成を示すブロック図である。
【００２９】
図１を参照すれば、本実施形態による電力貯蔵システム１は、発電システム２及び電力系統３と接続して、負荷４に電力を供給する。
【００３０】
発電システム２は、エネルギー源を利用して電力を発電するシステムである。発電システム２は、発電した電力を電力貯蔵システム１に供給する。発電システム２は、太陽光発電システム、風力発電システム、潮力発電システムなどであり、その他に太陽熱や地熱などを利用する新再生エネルギーを利用して電力を発電する発電システムをいずれも含む。特に、太陽光を利用して電気エネルギーを発電する太陽電池は、各家庭または工場などに設置しやすく、各家庭に分散された電力貯蔵システム１に適用するのに適している。発電システム２は、複数の発電モジュールを並列に備えて、発電モジュール別に電力を発電することで、大容量エネルギーシステムを構成できる。
【００３１】
電力系統３は、発電所、変電所、送電線などを備える。電力系統３は、正常状態である場合、電力貯蔵システム１または負荷４に電力を供給し、電力貯蔵システム１から供給された電力を入力される。電力系統３が非正常状態である場合、電力系統３から電力貯蔵システム１または負荷４への電力供給は中断され、電力貯蔵システム１から電力系統３への電力供給も中断される。
【００３２】
負荷４は、発電システム２から発電された電力、バッテリー４０に貯蔵された電力、または電力系統３から供給された電力を消費するものであって、例えば、家庭、工場などでありうる。
【００３３】
電力貯蔵システム１は、発電システム２で発電した電力をバッテリー４０に貯蔵し、発電した電力を電力系統３に送る。また、電力貯蔵システム１は、バッテリー４０に貯蔵された電力を電力系統３に伝達するか、または電力系統３から供給された電力をバッテリー４０に貯蔵できる。また、電力貯蔵システム１は、異常状況、例えば、電力系統３の停電発生時には、無停電電力供給（Ｕｎｉｎｔｅｒｒｕｐｔｉｂｌｅ Ｐｏｗｅｒ Ｓｕｐｐｌｙ：ＵＰＳ）動作を行って負荷４に電力を供給でき、電力系統３が正常な状態でも、発電システム２が発電した電力やバッテリー４０に貯蔵されている電力を負荷４に供給できる。
【００３４】
電力貯蔵システム１は、電力変換部（Ｕｎｉｄｉｒｅｃｔｉｏｎａｌ Ｃｏｎｖｅｒｔｅｒ：ＵＤＣ）１０、ＤＣリンク部２０、双方向インバータ（ＩＮＶ）３０、バッテリー４０、バッテリー管理システム（Ｂａｔｔｅｒｙ Ｍａｎａｇｅｍｅｎｔ Ｓｙｓｔｅｍ：ＢＭＳ）５０、双方向コンバータ（ＢＤＣ）６０、第１スイッチ７０、第２スイッチ８０及び統合制御器９０を備える。
【００３５】
電力変換部１０は、発電システム２と第１ノードＮ１との間に接続される。電力変換部１０は、発電システム２で発電した電力を第１ノードＮ１に伝達し、この時、出力電圧を直流リンク電圧に変換する。すなわち、電力変換部１０が動作することで、発電システム２で発電された電力がバッテリー４０、電力系統３及び負荷４などに供給される。
【００３６】
電力変換部１０は、発電システム２の種類によって、コンバータまたは整流回路から構成される。すなわち、発電システム２が直流の電力を発生させる場合、電力変換部１０は、直流電力を直流電力に変換するためのコンバータでありうる。逆に発電システム２が交流の電力を発生させる場合、電力変換部１０は、交流電力を直流電力に変換するための整流回路でありうる。特に、発電システム２が太陽光発電である場合、電力変換部１０は、日射量、温度などの変化によって、発電システム２で発電する電力を最大に得られるように、最大電力ポイント追跡（Ｍａｘｉｍｕｍ Ｐｏｗｅｒ Ｐｏｉｎｔ Ｔｒａｃｋｉｎｇ：ＭＰＰＴ）制御を行うＭＰＰＴコンバータを備える。
【００３７】
電力変換部１０は、発電システム２で発電される電力がない時には、動作を中止して、コンバータなどで消費される電力を最小化させることもできる。
【００３８】
ＤＣリンク部２０は、第１ノードＮ１と双方向インバータ３０との間に接続されて、第１ノードＮ１の直流リンク電圧を一定に維持させる。第１ノードＮ１は、発電システム２または電力系統３の瞬時電圧降下、負荷４でのピーク負荷の発生などにより、その電圧レベルが不安定になりうる。しかし、第１ノードＮ１の電圧は、双方向コンバータ６０及び双方向インバータ３０の正常動作のために安定化する必要がある。ＤＣリンク部２０は、第１ノードＮ１の直流リンク電圧のレベルの安定化のために備えられ、例えば、キャパシタなどで具現される。前記キャパシタは、アルミニウム電解キャパシタ、高圧用のフィルムキャパシタ、高圧大電流用の積層チップキャパシタ（Ｍｕｌｔｉ Ｌａｙｅｒ Ｃｅｒａｍｉｃ Ｃａｐａｃｉｔｏｒ：ＭＬＣＣ）などが使われる。本実施形態では、ＤＣリンク部２０が別途に備えられた例を図示したが、ＤＣリンク部２０が双方向コンバータ６０、双方向インバータ３０または電力変換部１０内で具現される実施形態も可能である。
【００３９】
双方向インバータ３０は、ＤＣリンク部２０と第１スイッチ７０との間に接続される電力変換器である。双方向インバータ３０は、放電モードで、発電システム２またはバッテリー４０から出力された直流リンク電圧を電力系統３の交流電圧に変換して出力する。一方、双方向インバータ３０は、充電モードで、電力系統３の電力をバッテリー４０に貯蔵するために、電力系統３の交流電圧を整流して直流リンク電圧に変換して出力する。双方向インバータ３０は、電力系統３に出力される交流電圧から高調波を除去するためのフィルタを備え、無効電力の発生を抑制するために、双方向インバータ３０から出力される交流電圧の位相と、電力系統３の交流電圧の位相とを同期化させるための位相同期ループ（Ｐｈａｓｅ Ｌｏｃｋｅｄ Ｌｏｏｐ：ＰＬＬ）回路を備える。その他に、双方向インバータ３０は、電圧変動範囲制限、力率改善、直流成分除去、過渡現象保護のような機能を行える。双方向インバータ３０は、発電システム２で発電された電力や、バッテリー４０に貯蔵された電力を負荷４や電力系統３に供給する必要がない場合、またはバッテリー４０を充電する時に、電力系統３の電力を必要としない場合には、消費電力を最小化するために、双方向インバータ３０の動作を中止させることもできる。
【００４０】
バッテリー４０は、発電システム２で発電された電力または電力系統３の電力を供給されて貯蔵し、負荷４または電力系統３に貯蔵している電力を供給する。バッテリー４０は、少なくとも一つ以上のバッテリーセルから形成され、各バッテリーセルは、複数のベアセルを備える。かかるバッテリー４０は、多種のバッテリーセルで具現され、例えば、ニッケル・カドミウム電池、鉛蓄電池、ニッケル・水素電池（ｎｉｃｋｅｌ ｍｅｔａｌ ｈｙｄｒｉｄｅ ｂａｔｔｅｒｙ：ＮｉＭＨ）、リチウムイオン電池、リチウムポリマー電池などでありうる。バッテリー４０は、電力貯蔵システム１で要求される電力容量及び設計条件などによって、その個数を決定できる。例えば、負荷４の消費電力が大きい場合には、複数のバッテリー４０を備え、負荷４の消費電力が小さい場合には、一つのバッテリー４０のみを備える。
【００４１】
一方、発電システム２で発電した電力に余剰電力が存在するか、または電力系統３から電力を供給される場合、バッテリー４０の充電状態（ｓｔａｔｅ ｏｆ ｃｈａｒｇｅ：ＳＯＣ）によって充電如何を判断する。この時、電力貯蔵システム１の設定によって、バッテリー４０を充電する基準は異なる。例えば、ＵＰＳ機能に重点をおく場合、バッテリー４０にできるだけ多くの電力が貯蔵されることが重要であり、したがって、バッテリー４０がフル充電されていない場合には、常に充電を行うように制御できる。または、バッテリー４０の充電回数を減らして、バッテリー４０の寿命を延長させることに重点をおく場合、バッテリー４０がフル放電状態となるまではできる限り充電動作を行わないように制御できる。
【００４２】
ＢＭＳ ５０は、バッテリー４０に接続され、統合制御器９０の制御によって、バッテリー４０の充電及び放電動作を制御する。ＢＭＳ ５０は、バッテリー４０を保護するために、過充電保護機能、過放電保護機能、過電流保護機能、過電圧保護機能、過熱保護機能、セルバランシング機能などを行える。このために、ＢＭＳ ５０は、バッテリー４０の電圧、電流、温度、残余電力量、寿命、充電状態などをモニタリングし、関連情報を統合制御器９０へ伝送できる。本実施形態では、ＢＭＳ ５０がバッテリー４０と分離されて備えられているが、ＢＭＳ ５０とバッテリー４０とが一体になったバッテリーパックで構成されることはいうまでもない。
【００４３】
双方向コンバータ６０は、放電モードで、バッテリー４０に貯蔵された電力を双方向インバータ３０で要求する電圧レベル、すなわち、直流リンク電圧にＤＣ−ＤＣ変換して出力する。一方、双方向コンバータ６０は、充電モードで、第１ノードＮ１を通じて流入される充電電力を、バッテリー４０で要求する電圧レベル、すなわち、充電電圧にＤＣ−ＤＣ変換する。ここで、充電電力は、例えば、発電システム２で発電された電力、または電力系統３から双方向インバータ３０を通じて供給された電力である。双方向コンバータ６０は、バッテリー４０の充電または放電が不要な場合には、動作を中止させて消費電力を最小化することもできる。
【００４４】
第１スイッチ７０及び第２スイッチ８０は、双方向インバータ３０と電力系統３との間で第２ノードＮ２を挟んで直列に接続され、統合制御器９０の制御によって、オン／オフ動作を行って、発電システム２と電力系統３との間の電流のフローを制御する。第１スイッチ７０と第２スイッチ８０とは、発電システム２、電力系統３及びバッテリー４０の状態によってオン／オフが決定される。例えば、負荷４で要求される電力量が大きい場合、第１スイッチ７０及び第２スイッチ８０をいずれもオン状態にして、発電システム２及び電力系統３の電力をいずれも使用可能にする。もちろん、発電システム２及び電力系統３からの電力のみでは負荷４で要求する電力量を充足しない場合には、バッテリー４０に貯蔵された電力が供給されることもある。一方、電力系統３で停電が発生した場合、第２スイッチ８０をオフ状態にし、第１スイッチ７０をオン状態にする。これによって、発電システム２またはバッテリー４０からの電力を負荷４に供給でき、負荷４に供給される電力が電力系統３側に流れ、電力系統３の電力線などで作業する人員が感電するなどの事故を防止できる。
【００４５】
統合制御器９０は、発電システム２、電力系統３、バッテリー４０及び負荷４の状態をモニタリングし、モニタリング結果によって、電力変換部１０、双方向インバータ３０、ＢＭＳ  ５０、双方向コンバータ６０、第１スイッチ７０及び第２スイッチ８０を制御する。統合制御器９０がモニタリングする事項は、電力系統３が負荷４と接続しているか否か、発電システム２で電力が発電されているか否かを含む。また、統合制御器９０は、発電システム２の発電電力量、バッテリー４０の充電状態、バッテリー４０の充電電力量、負荷４の消費電力量及び時間などをモニタリングできる。
【００４６】
以下、統合制御器９０による電力貯蔵システム１の多様な動作モードについて説明する。
【００４７】
＜電力貯蔵システム１の動作モード＞
図２ないし図８は、図１の電力貯蔵システムにおける多様な動作モードを示す概念図である。
【００４８】
図２を参照すれば、発電システム２で発電された電力のうち一部の電力を使用してバッテリー４０を充電し、残りの電力を負荷４や電力系統３に供給する。このために、電力変換部１０は、電力変換動作を行わねばならない。また、双方向コンバータ６０は、充電モードで動作し、双方向インバータ３０は、放電モードで動作する。本動作モードは、発電システム２で発電する電力量が非常に大きい場合に適用される。また、バッテリー４０が充電が必要な場合に適用される。
【００４９】
図２のような場合、バッテリー４０の充電状態及び負荷４の状態のうちいずれの部分にさらに加重値を置くかによって、発電システム２で発電された電力の分配方式が異なりうる。
【００５０】
バッテリー４０の充電状態に加重値を置く場合、発電システム２で発電された電力のうち、バッテリー４０を充電するのに必要な電力ほどをバッテリー４０に供給し、バッテリー４０に供給して残る余剰電力を電力系統３または負荷４に供給する。例えば、電力系統３が負荷４と接続しており、負荷４に電力を供給するのに問題がない場合がこれに該当する。この時、負荷４で不足した電力は、電力系統３から供給される。
【００５１】
一方、負荷４の状態に加重値を置く場合、発電システム２で発電された電力のうち、負荷４で消費する電力ほどを負荷４に供給し、負荷４に供給して残る余剰電力をバッテリー４０に供給して、バッテリー４０の充電に使用する。例えば、電力系統３と負荷４とが接続していない場合、すなわち、電力系統３から負荷４への電力供給が接続されていない場合がこれに該当する。
【００５２】
図３を参照すれば、発電システム２で発電した電力を全て負荷４に供給する。このために、電力変換部１０は、電力変換動作を行わねばならない。また、双方向コンバータ６０は、動作を中止し、双方向インバータ３０は、放電モードで動作する。この時、発電システム２により発電された電力のみで電力系統３または負荷４に電力を供給するので、電力変換部１０は、最大電力を発電するためのＭＰＰＴ制御モードで動作できる。バッテリー４０は、充電が必要であるか否か、発電システム２で発電する電力量が負荷４の消費電力量以上であるか否かなどを判断して、本動作モードを適用できる。
【００５３】
図４を参照すれば、発電システム２で発電した電力及びバッテリー４０に貯蔵された電力を同時に電力系統３または負荷４に供給する。このために、電力変換部１０は、電力変換動作を行う。また、双方向インバータ３０及び双方向コンバータ６０は、放電モードで動作する。本動作モードは、バッテリー４０の充電状態が放電可能な場合であり、負荷４の消費電力量が発電システム２で発電する電力量より大きい場合に適用される。発電システム２及びバッテリー４０から供給した電力でも負荷４の消費電力量を満足させられない場合には、電力系統３の電力が負荷４に供給されることもある。あるいは、電力系統３の電力供給により負荷４の消費電力量を満足させる場合であっても、電力系統３から供給される電力の単価が高い場合には、発電システム２及びバッテリー４０の電力を供給することも可能である。
【００５４】
図５を参照すれば、バッテリー４０に貯蔵された電力のみを電力系統３または負荷４に供給する。発電システム２では電力が発電されない場合、例えば、太陽光発電で深夜時間でありうる。発電システム２で発電される電力がないので、電力変換部１０は、動作を中止させる。双方向インバータ３０及び双方向コンバータ６０は、放電モードで動作する。負荷４が電力系統３と接続していない場合、バッテリー４０の放電電力量が負荷４の消費電力量以上であり、バッテリー４０が放電可能な状態である時、本動作モードが適用される。または、負荷４が電力系統３と接続している場合であっても、負荷４の消費電力量がピークであるので、電力系統３から供給される電力では不足した場合に、本動作モードが適用される。あるいは、電力系統３の電力料金が高い時間であるので、バッテリー４０に貯蔵されている電力を使用して電気料金を減らそうとする場合にも、本動作モードが適用される。
【００５５】
図６を参照すれば、発電システム２で発電した電力をいずれもバッテリー４０に供給する。このために、電力変換部１０は、電力変換動作を行う。また、双方向インバータ３０は、動作を中止し、双方向コンバータ６０は、充電モードで動作する。本動作モードは、バッテリー４０がそれ以上放電が不可能な状態である時に適用される。
【００５６】
図７を参照すれば、発電システム２で発電した電力及び電力系統３の電力をバッテリー４０に供給して、バッテリー４０を充電する。このために、電力変換部１０は、電力変換動作を行う。また、双方向インバータ３０及び双方向コンバータ６０は、充電モードで動作する。本動作モードは、電力系統３から電力を供給されるので、電力系統３が負荷４と接続した場合でなければならず、発電システム２で発電する電力量がバッテリー４０の充電電力量より小さい場合に適用される。
【００５７】
図８を参照すれば、バッテリー４０が電力系統３から電力を供給されて電力を充電する。発電システム２では電力が発電されない場合でありうる。発電システム２で発電される電力がないので、電力変換部１０は、動作を中止させる。双方向インバータ３０及び双方向コンバータ６０は、充電モードで動作する。本動作モードは、電力系統３から電力を供給されるので、電力系統３が負荷４と接続した場合でなければならず、バッテリー４０が充電可能な場合に適用される。
【００５８】
図示していないが、発電システム２から外部への電力供給動作が行われないか、またはバッテリー４０の充電及び放電動作が行われない場合には、電力貯蔵システム１は、消費電力を最小化するために、電力変換部１０、双方向インバータ３０及び双方向コンバータ６０の動作をいずれも中止させる。しかし、発電システム２、電力系統３及び負荷４の状態をモニタリングする動作を行い続ける。
【００５９】
電力貯蔵システム１は、前記のような多様な動作モードを備える。以下では、多様な条件によって各動作モードを決定する方法について説明する。
【００６０】
＜電力貯蔵システムの制御方法＞
［一実施形態］
図９ないし図１１は、本発明の一実施形態による電力貯蔵システムの制御方法を示すフローチャートである。
【００６１】
図９を参照すれば、電力貯蔵システム１は、負荷４が電力系統３に接続しているか否かを判断する（Ｓ１）。
【００６２】
負荷４が電力系統３に接続している場合には、負荷４への電力供給が円滑であるため、電力貯蔵システム１の制御が容易である。したがって、電力貯蔵システム１を制御する時、バッテリー４０の充電状態に重点を置く。すなわち、ＵＰＳ機能に対備できる。
【００６３】
しかし、負荷４が電力系統３と接続していない場合には、負荷４の消費電力量によって停電が発生するか、または多様な非常状況が発生し、これに対応するための制御を行わねばならない。したがって、電力貯蔵システム１を制御する時、負荷４の消費電力量に重点を置く。
【００６４】
統合制御器９０は、前記判断結果によって、電力系統接続時の動作モードまたは電力系統非接続時の動作モードのうちいずれか一つによって電力貯蔵システム１を制御する。
【００６５】
図１０は、電力系統接続時の動作モードＡを示すフローチャートである。
【００６６】
図１０を参照すれば、発電システム２で電力が発電されているか否かを判断する（Ｓ１０）。発電システム２で電力が発電される場合、バッテリー４０の充電状態判断及び発電システム２の発電電力量と負荷４の消費電力量との大きさ比較を行う。
【００６７】
具体的に、バッテリー４０の充電状態が０．９以上であるか否かを判断する（Ｓ１１）。０．９は、バッテリー４０がフル充電状態である場合を示す基準値であって、これは、例示的なものであって、これに限定されるものではない。
【００６８】
バッテリー４０の充電状態が０．９以上である場合には、発電システム２が発電する電力量Ｐｐｖと負荷４の消費電力量ＰＬとの大きさを比較する（Ｓ１２）。ＰＬがＰｐｖより大きい場合、発電システム２で発電された電力は、いずれも負荷４に供給する。また、発電システム２で発電された電力のみでは負荷４の消費電力量を充足しないので、負荷４には、電力系統３の電力が供給され、あるいはバッテリー４０に貯蔵された電力がさらに供給される。この時、電力変換部１０は、オン状態であり、双方向コンバータ６０及び双方向インバータ３０は、放電モードをオンにする。一方、ＰＬがＰｐｖ以下である時、発電システム２で発電する電力をいずれも負荷４に供給する。この時、電力変換部１０は、オン状態であり、双方向インバータ３０は、放電モードをオンにする。そして、双方向コンバータ６０は、動作を中止させて、オフ状態にする。
【００６９】
バッテリー４０の充電状態が０．９未満である場合には、双方向コンバータ６０の充電モードをオンにして、バッテリー４０を充電する。この時、ＰｐｖがＰｂｃより大きいか否かを判断する（Ｓ１３）。ＰｐｖがＰｂｃより大きい場合には、発電システム２で発電する電力からバッテリー４０を充電するのに必要な電力ほどをバッテリー４０に供給し、余剰電力は、負荷４に供給する。電力変換部１０は、オン状態にし、双方向インバータ３０は、放電モードをオンにする。一方、ＰｐｖがＰｖ以下である場合には、発電システム２で発電する電力のみでバッテリー４０を充電させない。したがって、双方向インバータ３０は、充電モードをオンにし、電力系統３の電力を使用してバッテリー４０を充電する。
【００７０】
一方、ステップＳ１０で発電システム２で電力が発電されないと判断した場合、電力変換部１０は、オフにする。そして、バッテリー４０の充電状態を判断する（Ｓ１４）。バッテリー４０がフル充電されていると判断した場合、現在の時間を判断する（Ｓ１５）。電力系統３から供給される電力は、時間帯によって料金に差がある。例えば、深夜電気の場合、普通より低い料金が賦課される。すなわち、ステップＳ１５では、電力系統３から深夜電気を使用できるか否かを判断するものでありうる。電力系統３の深夜電気を使用できる場合には、負荷４が電力系統３から供給される電力で動作できるので、電力貯蔵システム１の動作をいずれもオフにする。しかし、前述したように、統合制御器９０によるモニタリング動作は行い続ける。一方、電力系統３の深夜電気を使用できない場合には、バッテリー４０に貯蔵された電力を負荷４に供給し、双方向コンバータ６０及び双方向インバータ３０の放電モードをオンにする。
【００７１】
ステップＳ１４でバッテリー４０の充電状態が０．９未満であると判断した場合、すなわち、バッテリー４０がフル充電されていないと判断した場合には、電力系統３の電力を供給されてバッテリー４０を充電する。すなわち、双方向コンバータ６０及び双方向インバータ３０の充電モードをオンにする。
【００７２】
図１１は、電力系統非接続時の動作モードＡを示すフローチャートである。
【００７３】
図１１を参照すれば、発電システム２で電力が発電されるか否かを判断する（Ｓ２０）。発電システム２で電力が発電される場合、発電システム２の発電電力量Ｐｐｖと負荷４の消費電力量ＰＬとの大きさ比較を行う（Ｓ２１，Ｓ２２）。
【００７４】
ＰｐｖとＰＬとの大きさが同じ場合には、発電システム２で発電した電力のみで負荷４の消費電力量を充足する。したがって、電力変換部１０をオンにし、双方向インバータ３０の放電モードをオンにして、発電システム２で発電した電力を負荷４に供給する。バッテリー４０の電力は使われないので、双方向コンバータ６０はオフにする。
【００７５】
ＰｐｖがＰＬより大きい場合には、バッテリー４０の充電状態を判断する（Ｓ２３）。バッテリー４０の充電状態が０．９以上である場合には、電力変換部１０をオンにし、双方向インバータ３０の放電モードをオンにして、発電システム２で発電した電力を負荷４に供給する。双方向コンバータ６０は、オフにする。ここで、負荷４と電力系統３とは接続されていない状態であり、ＰｐｖがＰＬより大きいので、余剰電力が発生する。したがって、この時、電力変換部１０は、ＭＰＰＴ制御動作を中止させ、現在負荷４で消費する電力に相応するほどの電力が発電システム２で発電されるように、発電電力量を減少させることができる。一方、バッテリー４０の充電状態が０．９未満である場合、バッテリー４０の充電が必要であるので、電力変換部１０は、オン状態にする。また、双方向コンバータ６０は、充電モードをオンにし、双方向インバータ３０は、放電モードをオンにする。負荷４に電力を供給することが優先的であるので、発電システム２で発電した電力のうち負荷４の消費電力量ほどを負荷４に供給し、余剰電力をバッテリー４０に供給する。
【００７６】
ＰｐｖがＰＬより小さい場合には、バッテリー４０の充電状態が０．２以下であるか否かを判断する（Ｓ２４）。０．２は、バッテリー４０がフル放電状態である場合を示す基準値であって、これは、例示的なものであって、これに限定されるものではない。バッテリー４０の充電状態が０．２以下である場合、すなわち、バッテリー４０の放電が不可能な場合には、発電システム２の発電電力量Ｐｐｖとバッテリー４０の充電電力量Ｐｂｃとの大きさを比較する（Ｓ２５）。そして、ＰｐｖがＰｂｃより大きい時には、発電システム２で発電する電力でバッテリー４０を充電する。したがって、電力変換部１０はオンにし、双方向コンバータ６０は、充電モードをオンにする。双方向インバータ３０は、オフにする。一方、ＰｐｖがＰｂｃより小さい時には、発電システム２で発電する電力で負荷４への供給、バッテリー４０の充電などを行えないので、電力貯蔵システム１のあらゆる装置をオフにする。
【００７７】
一方、ステップＳ２０で発電システム２で電力が発電されないと判断した場合、電力変換部１０はオフにする。そして、バッテリー４０の放電電力量Ｐｂｄと負荷４の消費電力量ＰＬとを比較する（Ｓ２６，Ｓ２７）。ＰｂｄとＰＬとの大きさが同じ場合、バッテリー４０に貯蔵された電力を負荷４に供給する。したがって、双方向コンバータ６０及び双方向インバータ３０は、放電モードをオンにする。
【００７８】
ＰｂｄがＰＬより小さい場合には、バッテリー４０に貯蔵された電力の供給により負荷４の消費電力量を満足させないので、あらゆる装置をオフにする。
【００７９】
ＰｂｄがＰＬより大きい場合であっても、バッテリー４０の充電状態を判断し（Ｓ２８）、バッテリー４０がフル放電基準値以下である場合には、あらゆる装置をオフにする。バッテリー４０がフル放電基準値以上である場合には、バッテリー４０に貯蔵された電力を負荷４に供給する。この時、双方向コンバータ６０及び双方向インバータ３０は、放電モードをオンにする。
【００８０】
前記のような方法により、本実施形態による電力貯蔵システム１は、発電システム２、負荷４、電力系統３及びバッテリー４０の状態によって、最適の方式で動作できる。
【００８１】
［他の実施形態］
図１２及び図１３は、本発明の他の実施形態による電力貯蔵システムの制御方法を示すフローチャートである。
【００８２】
図１２は、電力系統接続時の動作モードＢを示すフローチャートである。
【００８３】
図１２を参照すれば、発電システム２で電力が発電されるか否かを判断する（Ｓ３１）。発電システム２で電力が発電される場合、バッテリー４０の充電状態及び時間を判断する。
【００８４】
具体的に、バッテリー４０の充電状態がフル放電基準値以上であるか否かを判断する（Ｓ３２）。バッテリー４０の充電状態がフル放電基準値以上である場合には、バッテリー４０がフル充電状態でないとしても、バッテリー４０の充電を行わない。これは、バッテリー４０の頻繁な充放電を抑制して、バッテリー４０の寿命を延長させるためのものでありうる。かかる場合、発電システム２で発電した電力をいずれも電力系統３及び負荷４に供給する。電力変換部１０はオンにし、双方向インバータ３０は、放電モードをオンにする。そして、双方向コンバータ６０はオフにする。
【００８５】
バッテリー４０の充電状態がフル放電基準値未満である場合には、バッテリー４０の充電を行わねばならない。この時、時間を判断して、深夜電気を使用できる時間が近づいているか否かを判断する（Ｓ３３）。深夜電気を使用できる時間が近づいている場合、例えば、３０分後から深夜電気を使用できる場合には、あらゆる装置をオフにし、深夜電気を使用できる時間となるまで待機する。一方、深夜電気を使用するために待機しなければならない時間が長い場合には、発電システム２で発電した電力を供給されてバッテリー４０を充電する。この時、電力変換部１０はオンにし、双方向コンバータ６０は、充電モードをオンにする。また、双方向インバータ３０はオフにする。
【００８６】
一方、ステップＳ３１で発電システム２で電力が発電されないと判断した場合、電力変換部１０はオフにする。そして、バッテリー４０の充電状態を判断する（Ｓ３４）。バッテリー４０がフル充電基準値以上である時、時間を判断し、負荷４でピーク需要がある時間であるか否か、すなわち、負荷４で最大電力を消費する時間帯であるか否かを判断する（Ｓ３５）。ピーク需要がある時間でない場合には、電力系統３から供給する電力で負荷４の消費電力量を充足すると判断して、電力貯蔵システム１のあらゆる装置はオフにする。一方、ピーク需要がある時間である場合には、電力系統３から供給する電力のみでは負荷４の消費電力量を充足しない。したがって、バッテリー４０に貯蔵された電力を負荷４に供給し、双方向コンバータ６０及び双方向インバータ３０の放電モードをオンにする。
【００８７】
ステップＳ３４でバッテリー４０の充電状態がフル充電基準値未満であると判断した場合にも、時間を判断し、負荷４でピーク需要がある時間であるか否かを判断する（Ｓ３６）。ピーク需要がある時間でない場合、バッテリー４０がフル充電状態ではないので、電力系統３から電力を供給されてバッテリー４０を充電する。双方向インバータ３０及び双方向コンバータ６０の充電モードをオンにする。一方、ピーク需要がある時間である場合には、バッテリー４０の充電状態がフル放電基準値以下であるか否かを判断する（Ｓ３７）。バッテリー４０の充電状態がフル放電基準値以下である場合には、電力系統３から電力を供給される余裕がないので、電力貯蔵システム１のあらゆる装置をオフにする。バッテリー４０の充電状態がフル放電基準値より大きい場合には、バッテリー４０の放電が可能なものと判断する。そして、電力系統３から供給する電力のみでは負荷４の消費電力量を充足しないので、バッテリー４０に貯蔵された電力を負荷４に供給する。この時、双方向コンバータ６０及び双方向インバータ３０の放電モードをオンにする。
【００８８】
図１３は、電力系統非接続時の動作モードＢを示すフローチャートである。
【００８９】
図１３を参照すれば、発電システム２で電力が発電されるか否かを判断する（Ｓ４０）。発電システム２で電力が発電される場合、ステップＳ４１ないしＳ４３、及びそれによる電力貯蔵システム１の動作は、図１１のステップＳ２１ないしＳ２３、及びそれによる電力貯蔵システム１の動作と同一であるので、説明を省略する。
【００９０】
一方、ステップＳ４２でＰｐｖがＰＬ以下であると判断した場合には、再びＰｐｖと負荷４の最小消費電力量ＰＬｍｉｎとの大きさを比較する（Ｓ４４）。ＰｐｖがＰＬｍｉｎより大きい場合には、最小限の電力でも負荷４に供給するために、発電システム２で発電された電力を負荷４に供給し、このために、電力変換部１０をオンにし、双方向インバータ３０の放電モードをオンにする。双方向コンバータ６０はオフにする。
【００９１】
ＰｐｖがＰＬｍｉｎ以下である場合には、バッテリー４０の充電状態を判断する（Ｓ４５）。バッテリー４０の充電状態がフル放電基準値より大きい場合には、発電システム２で発電した電力、及びバッテリー４０に貯蔵された電力を負荷４に供給する。電力変換部１０はオンにし、双方向コンバータ６０及び双方向インバータ３０の放電モードをオンにする。また、バッテリー４０の充電状態がフル放電基準値以下である場合には、直流リンク電圧Ｖｌｉｎｋを測定し、基準電圧と比較する（Ｓ４６）。直流リンク電圧Ｖｌｉｎｋは、負荷４の消費電力量が多い場合、負荷４の消費電力量が急増した場合、または電力貯蔵システム１側で負荷４に十分な電力を供給できない場合などである時には、その値が低下する。すなわち、直流リンク電圧Ｖｌｉｎｋを測定して、発電システム２、電力系統３、負荷４、バッテリー４０などの状態を予測できる。基準電圧は、正常な直流リンク電圧Ｖｌｉｎｋより小さい値でありうる。例えば、普通直流リンク電圧Ｖｌｉｎｋが３７０Ｖであると仮定すれば、基準電圧は、３５０Ｖでありうる。ステップＳ４６で直流リンク電圧Ｖｌｉｎｋが３５０Ｖ以下であると判断した場合には、負荷４への電力供給が不可能であるので、あらゆる装置をオフにする。ステップＳ４６で直流リンク電圧Ｖｌｉｎｋが３５０Ｖより大きいと判断した場合には、発電システム２で発電された電力を負荷４に供給し、このために、電力変換部１０をオンにし、双方向インバータ３０の放電モードをオンにする。双方向コンバータ６０はオフにする。
【００９２】
一方、ステップＳ４０で発電システム２で電力が発電されないと判断した場合、電力変換部１０はオフにする。そして、バッテリー４０の充電状態を判断する（Ｓ４７）。バッテリー４０の充電状態がフル放電基準値以下である場合には、バッテリー４０から負荷４に電力を供給できないので、電力貯蔵システム１のあらゆる装置をオフにする。
【００９３】
バッテリー４０の充電状態がフル放電基準値より大きい場合には、バッテリー４０の放電電力量Ｐｂｄと、負荷４の消費電力量ＰＬ及び負荷４の最小消費電力量ＰＬｍｉｎとの大きさを比較する（Ｓ４８，Ｓ４９）。ＰｂｄがＰＬ以上である場合、またはＰｂｄがＰＬより小さい場合であっても、Ｐｂｄが負荷４の最小消費電力量であるＰＬｍｉｎより大きい場合には、バッテリー４０に貯蔵された電力を負荷４に供給する。双方向コンバータ６０及び双方向インバータ３０の放電モードをオンにする。ＰｂがＰＬｍｉｎよりも小さい場合には、バッテリー４０に貯蔵された電力で負荷４の消費電力量を充足しないので、電力貯蔵システム１のあらゆる装置をオフにする。
【００９４】
前記のような方法により、本実施形態による電力貯蔵システム１は、発電システム２、負荷４、電力系統３及びバッテリー４０の状態によって、最適の方式で動作できる。
【００９５】
前述した本実施形態及びその変形例による制御方法を電力貯蔵システムで実行させるためのプログラムは、記録媒体に貯蔵される。ここで、記録媒体とは、例えば、プロセッサで読み取り可能な媒体であって、半導体記録媒体（例えば、フラッシュメモリ）、磁気記録媒体（例えば、ＲＯＭ、ハードディスクなど）などを使用できる。前記媒体は、プロセッサ、例えば、図１に示したような統合制御器９０により読み取り可能であり、前記プロセッサで実行される。
【００９６】
本発明は、図面に示した実施形態を参考にして説明されたが、これは、例示的なものに過ぎず、当業者ならば、これから多様な変形及び均等な他の実施形態が可能であるという点を理解できるであろう。したがって、本発明の真の技術的保護範囲は、特許請求の範囲の技術的思想により決まらねばならない。
【産業上の利用可能性】
【００９７】
本発明は、電力関連の技術分野に適用可能である。
【符号の説明】
【００９８】
１    電力貯蔵システム
２    発電システム
３    電力系統
４    負荷
１０    電力変換部
２０    ＤＣリンク部
３０    双方向インバータ
４０    バッテリー
５０    バッテリー管理システム（ＢＭＳ）
６０    双方向コンバータ
７０    第１スイッチ
８０    第２スイッチ
９０    統合制御器
【図１】
2011254696.tif 000003
【図２】
2011254696.tif 000004
【図３】
2011254696.tif 000005
【図４】
2011254696.tif 000006
【図５】
2011254696.tif 000007
【図６】
2011254696.tif 000008
【図７】
2011254696.tif 000009
【図８】
2011254696.tif 000010
【図９】
2011254696.tif 000011
【図１０】
2011254696.tif 000012
【図１１】
2011254696.tif 000013
【図１２】
2011254696.tif 000014
【図１３】
2011254696.tif 000015